(57)【要約】【課題】照明システムにおいて、照明器具の存在を目立たなくすると共に、光を効果的に室内側へ導光する。【解決手段】照明システム１は、光源２及び点灯回路３を有する照明器具４を備え、照明器具４は、内装仕上げ材５によって室内側Ｒから視認されない位置に据え付けられると共に、光源２から出射された光を室内側Ｒに導光する、内装仕上げ材５を貫通して設けられた導光部材６を備える。また、導光部材６と、導光部材６が貫通する内装仕上げ材５の貫通穴５ａ内周面との間に、導光部材６よりも屈折率の小さい隙間充填部材７が設けられる。これにより、隙間充填部材７と導光部材６との接面に入射した光の多くは全反射され、導光部材６内を効率的に伝播し、室内側Ｒに出射される。また、照明器具４は内装仕上げ材７によって室内側Ｒから視認されない位置に据え付けられているので、照明器具４の存在が目立たなくなり、室内空間の美観を損なわない。【選択図】図１
2008243533.tif 000002
【特許請求の範囲】
【請求項１】
光源及び点灯回路を有する照明器具を備えた照明システムであって、
前記照明器具は、室内の内装仕上げ材によって室内側から視認されない位置に据え付けられると共に、前記光源から出射された光を室内側に導光する、前記内装仕上げ材を貫通して設けられた導光部材を備え、
前記導光部材と該導光部材が貫通する内装仕上げ材の貫通穴内周面との間に、前記導光部材よりも屈折率の小さい隙間充填部材が設けられていることを特徴とする照明システム。
【請求項２】
前記導光部材の出射端面には、配光制御部材が備えられていることを特徴とする請求項１に記載の照明システム。
【請求項３】
前記導光部材の両端は、前記内装仕上げ材の表裏各面から各々略０〜１０ｍｍ延出していることを特徴とする請求項１又は請求項２に照明システム。
【請求項４】
前記照明器具は、前記導光部材と光源との距離を規定するための位置決め部材を更に備えたことを特徴とする請求項１乃至請求項３のいずれか一項に記載の照明システム。
【請求項５】
前記照明器具は、汎用の埋込型照明器具を設置するための埋込穴に取付可能に構成され、前記埋込穴は前記内装仕上げ材により塞がれていることを特徴とする請求項１乃至請求項４のいずれか一項に記載の照明システム。
【請求項６】
前記導光部材は、光拡散性材料を含有して成ることを特徴とする請求項１乃至請求項５のいずれか一項に記載の照明システム。
【発明の詳細な説明】
【技術分野】
【０００１】
本発明は、照明器具が、天井裏や壁裏等の内装仕上げ材によって室内側から視認されない位置に据え付けられる照明システムに関する。
【背景技術】
【０００２】
従来から、商店や各種の展示施設等では、商品や展示品を照明光により演出するため、様々な照明器具が用いられている。このような演出用の照明器具において、照明器具自体が露出していると、演出空間において意匠上好ましくないことがある。そのため、商店等では、天井等に形成された埋込穴に取り付けられる埋込型照明器具が広く用いられている。この埋込型照明器具は、点灯回路等を収納する器具筐体が天井裏等に埋め込まれて室内側からは視認されないため、例えば、吊り下げ式の透明器具等と違って、空間をスッキリとした印象にすることができる。
【０００３】
しかし、一般的な埋込型照明器具では、光源や反射鏡が室内側から視認されるので、室内空間において照明器具の存在を目立たないようにするには適していない。そのため、例えば、特許文献１及び特許文献２に示されるように、光源や光源を点灯させるための点灯回路を天井裏等に設置しておき、光源から出射する光を室内側にガイドする導光体を備えた照明器具を用いることにより、照明器具の存在をできるだけ目立たないようにすることができる。
【特許文献１】特公平７−５４６４２号公報
【特許文献２】実新登２５２７１１５号公報
【発明の開示】
【発明が解決しようとする課題】
【０００４】
しかしながら、特許文献１及び特許文献２に示される照明器具は、いずれも照明器具の存在を目立たないようにするために構成されたものではなく、例えば、特許文献１に記載の照明器具は、器具筐体の一部が室内側に露出している。また、特許文献１に記載の照明器具は、導光部材と天井とが接しているので、この接面において光が全反射せず、光を効果的に導光部材内に伝播できない虞がある。
【０００５】
本発明は、上記課題を解決するものであり、照明器具を天井裏や壁裏等の内装仕上げ材によって室内側から視認されない位置に据え付けて、照明器具の存在を目立たなくすると共に、光を効果的に室内側へ導光することができる照明器具を備えた照明システムを提供することを目的とする。
【課題を解決するための手段】
【０００６】
上記課題を解決するため、請求項１の発明は、光源及び点灯回路を有する照明器具を備えた照明システムであって、前記照明器具は、室内の内装仕上げ材によって室内側から視認されない位置に据え付けられると共に、前記光源から出射された光を室内側に導光する、前記内装仕上げ材を貫通して設けられた導光部材を備え、前記導光部材と該導光部材が貫通する内装仕上げ材の貫通穴内周面との間に、前記導光部材よりも屈折率の小さい隙間充填部材が設けられているものである。
【０００７】
請求項２の発明は、請求項１に記載の照明システムにおいて、前記導光部材の出射端面には、配光制御部材が備えられているものである。
【０００８】
請求項３の発明は、請求項１又は請求項２に記載の照明システムにおいて、前記導光部材の両端は、前記内装仕上げ材の表裏各面から各々略０〜１０ｍｍ延出しているものである。
【０００９】
請求項４の発明は、請求項１乃至請求項３のいずれか一項に記載の照明システムにおいて、前記照明器具は、前記導光部材と光源との距離を規定するための位置決め部材を更に備えたものである。
【００１０】
請求項５の発明は、請求項１乃至請求項４のいずれか一項に記載の照明システムにおいて、前記照明器具は、汎用の埋込型照明器具を設置するための埋込穴に取付可能に構成され、前記埋込穴は前記内装仕上げ材により塞がれているものである。
【００１１】
請求項６の発明は、請求項１乃至請求項５のいずれか一項に記載の照明システムにおいて、前記導光部材は、光拡散性材料を含有して成るものである。
【発明の効果】
【００１２】
請求項１の発明によれば、隙間充填部材により、内装仕上げ材が導光部材と直接的に接することがなく、また、隙間充填部材の屈折率は導光部材の屈折率よりも低いので、隙間充填部材と導光部材との接面に入射した光の多くは全反射され、導光部材内を効率的に伝播し、室内側に出射される。また、照明器具の光源や反射板が内装仕上げ材によって室内側から視認されない位置に据え付けられているので、照明器具を目立たなくすることができ、照明光による演出空間の美観を損なわない。
【００１３】
請求項２の発明によれば、配光制御部材を備えたことにより、例えば、配光制御部材の材質（屈折率）や形状を調節することにより、室内側へ出射される光の配光を任意に制御することができる。
【００１４】
請求項３の発明によれば、光源から出射された光が、例えば、貫通穴の側面等に当たってロスとなることがないので、光を効果的に導光することができ、また、導光部材により室内空間の美観を損なうこともない。
【００１５】
請求項４の発明によれば、例えば、製品の出荷前に予め上記の位置決めを行っておくことができ、光源及び反射板の光学特性に応じて導光部材の位置を調節する必要がないので、照明器具の施工性が良くなる。
【００１６】
請求項５の発明によれば、既存の埋込型照明器具に替えて、照明器具を設置することにより、容易に本照明システムを適用することができる。また、埋込穴は内装仕上げ材により塞がれるので、室内側から光源や反射板が視認されず、室内空間をスッキリとした印象にすることができる。
【００１７】
請求項６の発明によれば、導光部材から出射される光のムラを低減することができ、また、反射板の端部及び光源の形状が光の照射面に写りこむのを抑制することができる。
【発明を実施するための最良の形態】
【００１８】
本発明の第１の実施形態に係る照明システムについて、図１を参照して説明する。本実施形態の照明システム１は、光源２及び点灯回路３を有する照明器具４を備える。また、照明システム１の設置環境に応じて、複数の照明器具４が適宜に配置されてもよく、これら複数の照明器具４は、例えば各照明器具４の光源２を任意に調光制御するための調光器（図示せず）に接続される。照明器具４は、室内の内装仕上げ材５によって室内側Ｒから視認されない位置、例えば天井裏や壁裏等に据え付けられる。また、照明器具４は、光源２から出射された光Ｌを室内側Ｒに導光する導光部材６を備える。この導光部材６は、上記の内装仕上げ材５を貫通するように設けられている。また、導光部材６と、導光部材６が貫通する内装仕上げ材５の貫通穴５ａの内周面との間に、導光部材６よりも屈折率の小さい隙間充填部材７が設けられている。
【００１９】
照明器具４は、光源２及び点灯回路３を収納する筐体４０を備え、この筐体４０の上底面４１の略中央部にソケット２１が配置される。このソケット２１は、配線２２により点灯回路３と接続されると共に、筐体４０の下底面４２方向に向けて光源２が装着される。また、光源２には、出射された光を下底面４２方向へ反射する反射板２３が備えられる。なお、点灯回路３は、図１に示されるように、筐体４０の側面側に配置されている必要はなく、例えば、上底面４１側に配置されていてもよいし、筐体４０内に収納されていなくてもよい。
【００２０】
光源２には、汎用の光源が用いられ、例えば、ハロゲンランプ、メタルハライドランプや高圧ナトリウムランプいった高輝度放電（ＨＩＤ）ランプ、コンパクト蛍光灯、ＬＥＤ等が用いられる。また、光源２は、複数のＬＥＤ（ＲＧＢ）を配置し、各ＬＥＤを適宜に調光制御することにより任意の色の光を出射可能としたものであってもよい。
【００２１】
反射板２３は、側断面が楕円形状等の２次局面を有する反射板が用いられ、例えば、アルミ蒸着反射板、ガラス基板ダイクロイックミラー等が用いられる。ソケット２１は、光源２の種類等に応じて、例えば、ポリカーボネートやユリア樹脂等から成る汎用のソケットが用いられる。
【００２２】
筐体４０は、アルミニウム合金等の金属又はポリカーボネートやＰＰＳ等の樹脂材料等により成形され、光源２、反射板２３及び点灯回路３等を収納できれば、その形状や寸法は特に限定されないが、汎用の埋込型照明器具と同程度の埋込穴寸法及び器具埋込高に形成されていることが望ましい。また、筐体４０の下底面４２は、導光部材６が内装仕上げ材５の貫通穴５ａを貫通するように、その一部又は全部が開口している。
【００２３】
点灯回路３は、光源２の種類に応じた適宜の点灯回路が用いられ、光源２への給電をオンオフするスイッチング素子、スイッチング素子へ点灯制御信号を出力する点灯制御用マイコン、上記の各電子部品等を搭載する基板、光源２の種類に応じて商用電源（図示せず）の電流・電圧を安定化させる安定器、これらの各構成部を収納する回路筐体等を備える。
【００２４】
内装仕上げ材５は、天井面や壁面等を構成する汎用の構造材料及びこの構造材料に貼付された汎用のクロス材等から成り、照明システム１の設置環境に応じた適宜の材料が用いられる。
【００２５】
導光部材６は、透明ガラス又はアクリル等の透光性樹脂から形成された部材であり、光源２から出射された光又は反射板２３によって反射された光を入射する入射端面６１と、入射した光を室内側へ出射する出射端面６２と、入射した光を室内側へ出射する出射端面６２と、入射端面６１及び出射端面６２を繋ぐ側面６３と、から成る。
【００２６】
隙間充填部材７は、導光部材６よりも屈折率の低い材料であれば特に限定されるものではないが、導光部材６と、導光部材６が貫通する内装仕上げ材５の貫通穴５ａの内周面との間に、例えば、シリカエアロゲルが充填されることにより成る。また、空気の屈折率は、通常、導光部材６の屈折率よりも低いので、例えば、導光部材６と貫通穴５ａの内周面との間に隙間を設けることにより、この隙間にある空気が実質的に隙間充填部材７として機能する。
【００２７】
光源２から出射された光は、直接的に又は反射板２３により反射されて、入射端面６１に入射する。一般に、光が屈折率の高い材質から低い材質へ伝播するとき、光の入射角度によって透過する場合と全反射する場合とがあり、この光が透過するか全反射するかの境になる入射角度を臨界角という。入射角度が臨界角に満たない場合、屈折率の高い材質と低い材質との接面において、光は透過屈折し、一方、臨界角を超える場合には全反射する。本実施形態では、入射端面６１に入射した光のうち、導光部材６の内側面に対する入射角が臨界角を超える光は、導光部材６の内側面において全反射して、導光部材６内を伝播する。
【００２８】
仮に、貫通穴５ａの内側面が直接的に導光部材６に接していて、内装仕上げ材５を構成する材料の屈折率が導光部材６の屈折率よりも高いと、この接面に入射した光は全反射しないので、結果として、導光部材６内を伝播できずにロスすることになる。これに対して、本実施形態では、導光部材６と内装仕上げ材５に設けられた貫通穴５ａの内周面との間に、隙間充填部材７が備えられているので、内装仕上げ材５が導光部材６と直接的に接することがなく、また、隙間充填部材７の屈折率は導光部材６の屈折率よりも低いので、隙間充填部材７と導光部材６との接面に入射した光の多くは全反射され、効果的に導光部材６内を伝播し、最終的には出射端面６２から室内側Ｒに出射される。
【００２９】
また、本実施形態の照明システム１では、照明器具４の光源２や反射板２３といった各構成部が内装仕上げ材５によって室内側Ｒから視認されない位置に据え付けられ、光源２からの光は、内装仕上げ材５を貫通する導光部材６によって室内側Ｒに導光されることにより、照明演出を可能とし、かつ、照明器具４を目立たないようにすることができるので、照明により演出空間の美観を損なわない。
【００３０】
なお、導光部材６の出射端面６２が内装仕上げ材５の表面（天井面）から過度に突出していると、室内側Ｒからの美観を損なうことになり、逆に、出射端面６２が内装仕上げ材７の表面よりも高い位置にあると、出射端面６２から出射された光Ｌが貫通穴５ａの側面に当たって、光Ｌのロスが生じると共に、照射範囲が狭くなる。また、導光部材６の入射端面６１が内装仕上げ材５の裏面（天井裏）から過度に突出していると、入射端面６１が光源２に近接しすぎて光を効果的に入射することができず、逆に、入射端面６１が内装仕上げ材５の裏面よりも低い位置にあると、光源２からの光が内装仕上げ材５の裏面や貫通穴５ａの側面に当たって入射端面６１に効果的に入射されない。そのため、本実施形態において、導光部材６の両端（入射端面６１又は出射端面６２）は、内装仕上げ材５の表裏各面から各々略０〜１０ｍｍ延出しているようにすることで、貫通穴５ａの側面等による光のロスをなくし、導光部材６は光源２からの光を効果的に入射すると共に、室内側Ｒへ出射することができ、また、室内側Ｒから見た美観を損なうこともない。
【００３１】
また、好ましくは、導光部材６には、透光性樹脂に酸化チタンや架橋シリコン微粒子といった光拡散性材料が含有される。このようにすることで、導光部材６から出射される光Ｌのムラを低減することができる。また、反射板２３の端部の形状や光源２の発光部２０の形状が光Ｌの照射面に写りこむのを抑制することができる。
【００３２】
次に、本発明の第２の実施形態に係る照明システムについて、図２を参照して説明する。本実施形態の照明システム１は、上記第１の実施形態の照明器具４において、導光部材６の出射端面６２に、配光制御部材８を更に備えたものである。この配光制御部材８は、ガラス又は透光性樹脂等から成り、出射端面６２から入射した光を入射して、室内側Ｒへ出射するものであり、その材質（屈折率）や形状を調節することにより、室内側Ｒへ出射される光の配光を任意に制御可能とする。なお、図２の例では、配光の広がり角を狭く絞ることができるように形成された例を示すが、これに限定されるものではない。また、配光制御部材８は、意匠上の問題とならない範囲において適宜に反射鏡（図示せず）等が備えられてもよい。
【００３３】
次に、本発明の第３の実施形態に係る照明システムについて、図３を参照して説明する。本実施形態の照明システム１は、上記第１の実施形態の照明器具４において、導光部材６と光源２との距離を規定するための位置決め部材９を更に備えたものである。位置決め部材９は、アルミニウム合金等の金属又はポリカーボネートやＰＰＳ等の樹脂材料により成形され、その形状等は特に限定されないが、通常、下方に開口部を有する箱形状であり、上底面には導光部材６を貫通させると共に、導光部材６を所定位置に固定するための固定部９１と、位置決め部材９を筐体４０の下底面４２に取り付けるための取付部９２と、を備える。なお、位置決め部材９は、取付部９２を用いることなく、予め筐体４０と一体的に形成されていてもよい。
【００３４】
本実施形態においては、上記の位置決め部材９により、光源２の発光部２０及び入射端面６１が、楕円形状となった反射板２３の夫々第１焦点及び第２焦点に設置されるように位置決めされることが望ましい。このように位置決めされると、光源２の発光部２０から出射された光のうち、反射板２３により反射される光は全て入射端面６１に集光されるので、光源２の光が効率的に室内側Ｒへ導光される。また、製品の出荷前に予め上記の位置決めを行っておくことにより、光源２及び反射板２３の光学特性に応じて導光部材６の位置を調節する必要がないので、照明器具４の施工性が良くなる。
【００３５】
なお、固定部９１には、導光部材６よりも屈折率の低い、例えばシリカエアロゲルを用いることにより、上記第１の実施形態と同様に、導光部材６と取付部９２との接面に入射した光の多くを全反射して、効果的に導光部材６内へ伝播することができる。
【００３６】
次に、本発明の第４の実施形態に係る照明システムについて、図４を参照して説明する。本実施形態の照明システム１は、上記第１の実施形態の照明器具４が、汎用の埋込型照明器具（ダウンライト）を設置するための埋込穴５ｂに取付可能に構成されている。本実施形態の照明器具４は、設置部材４３により埋込穴５ｂに設置され、この設置部材４３は、埋込穴５ｂの形状や寸法に適合するように形成される。また、埋込穴５ｂは、設置部材４３の形状及び寸法に応じて作成された内装仕上げ材５により塞がれ、導光部材６の出射端面６２のみが室内側Ｒに露出する。本実施形態の構成によれば、予め埋込型照明器具用の埋込穴５ｂが天井面等に設けられているような設置環境において、既存の埋込型照明器具に替えて、照明器具４を設置することにより、容易に照明システム１を適用することができる。また、埋込穴５ｂは内装仕上げ材５により塞がれるので、室内側Ｒから光源２や反射板２３が視認されず、照明による演出空間をスッキリとした印象とすることができる。
【００３７】
なお、本発明は、上記実施形態の構成に限られることなく種々の変形が可能である。例えば、光源２に、例えば複数のＬＥＤを用いることにより、高出力による照明演出が可能となり、また、このとき、導光部材６の側面６３の形状に凹凸を設けることにより、又は導光部材６に拡散性物質を含有させることにより、複数のＬＥＤから入射端面６１に入射した光を、導光部材６内を伝播するときにミキシングして、出射端面６２からムラのない光が出射されるようにしてもよい。また、ミキシングしないことにより、意図的にムラのある光を照射するようにしてもよい。
【図面の簡単な説明】
【００３８】
【図１】本発明の第１の実施形態に係る照明システムの側断面図。
【図２】本発明の第２の実施形態に係る照明システムの側断面図。
【図３】本発明の第３の実施形態に係る照明システムの側断面図。
【図４】本発明の第４の実施形態に係る照明システムの側断面図。
【符号の説明】
【００３９】
１    照明システム
２    光源
３    点灯回路
４    照明器具
５    内装仕上げ材
５ａ    貫通穴
５ｂ    汎用の埋込型照明器具を設置するための埋込穴
６    導光部材
７    隙間充填部材
８    配光制御部材
９    位置決め部材
Ｒ    室内側
【図１】
2008243533.tif 000003
【図２】
2008243533.tif 000004
【図３】
2008243533.tif 000005
【図４】
2008243533.tif 000006